(57)【要約】【課題】  大幅なコスト上昇を招くことなく、回路基板のアースを確実に確保することが可能なＬＮＢコンバータのアース接続構造を提供する。【解決手段】  ネジ３を用いて本体容器１に回路基板２を押え付ける場合、本体容器１の支持領域１ｒとアースパターン２ｃとの間に、導電性部材として金属製の薄板５を介在させている。この構造によれば、本体容器１または回路基板２に歪が生じている場合であっても、この歪によって生じるアース領域であるアースパターン２ｃと支持領域１ｒとの間の間隙を金属製の薄板５によって埋めることを可能とする。【選択図】        図２
2006066197.tif 000002
【特許請求の範囲】
【請求項１】
アース領域が形成された回路基板と、前記回路基板の前記アース領域に接する支持領域を有し、前記回路基板を収容するため導電性材料から構成された本体容器とを備えるＬＮＢコンバータのアース接続構造であって、
前記アース領域と前記支持領域との間に導電性部材を介在させて、前記回路基板を前記本体容器に固定したことを特徴とする、ＬＮＢコンバータのアース接続構造。
【請求項２】
前記導電性部材は、金属製の板である、請求項１に記載のＬＮＢコンバータのアース接続構造。
【請求項３】
前記アース領域と前記導電性部材とが半田により接続されている、請求項２に記載のＬＮＢコンバータのアース接続構造。
【請求項４】
前記導電性部材は、前記アース領域および前記支持領域が当接する位置に凸部を有する、請求項２に記載のＬＮＢコンバータのアース接続構造。
【請求項５】
前記導電性部材は、前記アース領域に当接する位置に板バネ構造を備える、請求項２に記載のＬＮＢコンバータのアース接続構造。
【請求項６】
前記導電性部材は、前記支持領域が当接する位置に導電性ゴムが装着されている、請求項２に記載のＬＮＢコンバータのアース接続構造。
【請求項７】
前記導電性部材は、導電性ゴムシートである、請求項１に記載のＬＮＢコンバータのアース接続構造。
【請求項８】
前記導電性部材は、導電性グリスである、請求項１に記載のＬＮＢコンバータのアース接続構造。
【発明の詳細な説明】
【技術分野】
【０００１】
本発明は、衛星放送などのアンテナに備えられるＬＮＢコンバータに採用されるアース接続構造に関する。
【背景技術】
【０００２】
衛星放送などのアンテナには、電波を受信するためにＬＮＢ（Low Noise Block-down）コンバータが備えられている。図９に、衛星放送の受信装置の概略図を示す。衛星からの電波は、屋外に設置されるアンテナによって受信される。矢印６１に示すように、電波は、パラボナアンテナ５０の表面で反射してフィードフォーン４３に集められ、ＬＮＢコンバータ５１に送られる。ＬＮＢコンバータ５１で周波数変換された信号は、同軸ケーブル５３を通ったのち、屋内のチューナ５４に伝達される。チューナ５４の出力によって、映像がテレビジョン受像機５５に表示される。
【０００３】
図１０および図１１に、ＬＮＢコンバータ５１の概略分解斜視図の例を示す。このＬＮＢコンバータ１００Ｂは、内部に回路基板２を収容するための本体容器１を備え、回路基板２は、ネジ３を用いて、本体容器１の底面の所定領域に固定される。本体容器１には、開口部を塞ぐための蓋部材も用いられるが、ここでは図示を省略する。また、本体容器１には、導電性材料を用いたダイカスト製品が採用されている。回路基板２は、セラミック基板等からなる本体基板２ａと、本体基板２ａの一方面に形成される回路パターン２ｂと、本体基板２ａの他方面の略全面にわたって形成されるアースパターン２ｃとを有している。このＬＮＢコンバータ１００Ｂのアース接続構造としては、回路基板２を、ネジ３を用いて本体容器１に押え付けることにより、本体容器１の底部１ａに設けられた支持領域１ｒにアースパターン２ｃが接触して、回路基板２のアースが確保されている。なお、マイクロ波回路基板のアース接続構造を開示するものとして、下記特許文献１が挙げられる。
【特許文献１】特開平０８−１４８７７３号公報
【発明の開示】
【発明が解決しようとする課題】
【０００４】
しかしながら、上記ＬＮＢコンバータ１００Ｂのアース接続構造においては、以下に示す問題が挙げられる。本体容器１としてダイカストを用いているが、本体容器を成形するための金型の磨耗、本体容器の歪の発生、回路基板２の反り発生等の理由により、図１１の断面図に示すように、本体容器１と回路基板２との間に隙間が発生し、ネジ３の締め込みでは、支持領域１ｒとアースパターン２ｃとの間の接触が十分に確保されず、回路基板２のアースが不十分になる結果、ＬＮＢコンバータ１００Ｂの安定した性能を得ることができないおそれがあった。一方、隙間の発生を防止するために、金型交換時期の短縮化、本体容器の加工等が考えられるが、いずれも、大幅な部品コストの上昇および設備投資を招来する結果となる。したがって、この発明の目的は、上記課題を解決することにあり、大幅なコスト上昇を招くことなく、回路基板のアースを確実に確保することが可能なＬＮＢコンバータのアース接続構造を提供することにある。
【課題を解決するための手段】
【０００５】
この発明に基づいたＬＮＢコンバータのアース接続構造においては、アース領域が形成された回路基板と、上記回路基板の上記アース領域に接する支持領域を有し、上記回路基板を収容するため導電性材料から構成された本体容器とを備えるＬＮＢコンバータのアース接続構造であって、上記アース領域と上記支持領域との間に導電性部材を介在させて、上記回路基板を上記本体容器に固定したことを特徴としている。
【発明の効果】
【０００６】
この発明に基づいたＬＮＢコンバータのアース接続構造によれば、本体容器または回路基板に歪が生じている場合であっても、当該歪によって生じるアース領域と支持領域との間の間隙を導電性部材によって埋めることができる。これにより、アース領域と支持領域との間の電気的な接続が確保される。その結果、ＬＮＢコンバータにおける回路基板のアースを確実に確保することが可能となる。
【発明を実施するための最良の形態】
【０００７】
以下、この発明に基づいた各実施の形態におけるＬＮＢコンバータのアース接続構造について、図を参照しながら説明する。なお、各実施の形態において同一または相当部分については、同一の参照番号を付し、重複する説明は繰り返さないこととする。
【０００８】
（実施の形態１）
以下、この発明に基づいた実施の形態１におけるＬＮＢコンバータのアース接続構造について、図１および図２を参照して説明する。なお、図１は、ＬＮＢコンバータの内部構造を示す概略分解斜視図であり、図２は、本実施の形態におけるＬＮＢコンバータのアース接続構造を示す部分拡大断面図である。両図を参照して、このＬＮＢコンバータ１００Ａは、内部に回路基板２を収容するための本体容器１を備え、回路基板２は、ネジ３を用いて、本体容器１の底面の支持領域１ｒに固定される。本体容器１には、開口部を塞ぐための蓋部材も用いられるが、ここでは図示を省略する。また、本体容器１には、導電性材料を用いたダイカスト製品が採用されている。回路基板２は、セラミック基板等からなる本体基板２ａと、本体基板２ａの一方面に形成される回路パターン２ｂと、本体基板２ａの他方面の略全面にわたって形成されるアースパターン２ｃとを有している。
【０００９】
本実施の形態におけるＬＮＢコンバータ１００Ａのアース接続構造としては、回路基板２の裏面側であるアースパターン２ｃ側に導電性部材を介在させており、ネジ３を用いて本体容器１に回路基板２を押え付ける場合、本体容器１の支持領域１ｒとアースパターン２ｃとの間に、導電性部材が介在することとなる。導電性部材としては、様々なものが採用され得るが、ここでは金属製の薄板５を採用している。
【００１０】
このように本実施の形態におけるＬＮＢコンバータ１００Ａのアース接続構造によれば、本体容器１または回路基板２に歪が生じている場合であっても、この歪によって生じるアース領域であるアースパターン２ｃと支持領域１ｒとの間の間隙を金属製の薄板５によって埋めることができる。これにより、アースパターン２ｃと支持領域１ｒとの間の電気的な接続が確保される。その結果、ＬＮＢコンバータ１００Ａにおける回路基板２のアースを確実に確保することが可能となる。
【００１１】
（実施の形態２）
以下、この発明に基づいた実施の形態２におけるＬＮＢコンバータのアース接続構造１００Ｂについて、図３を参照して説明する。なお、図３（Ａ）は、本実施の形態におけるＬＮＢコンバータのアース接続構造を示す部分拡大断面図であり、図３（Ｂ）は、（Ａ）中のＢで囲まれた領域の拡大断面図である。本実施の形態におけるＬＮＢコンバータのアース接続構造１００Ｂと上記実施の形態１で示したアース接続構造１００Ａとを比較した場合、アースパターン２ｃと金属製の薄板５とが半田によって接続されていることを特徴としている。具体的には、図３（Ｂ）の拡大図に示すように、支持領域１ｒには、上方に突出する凸部１ｈが設けられ、金属製の薄板５には、凸部１ｈが嵌合する貫通孔５ｈが設けられている。この貫通孔５ｈ内において、半田９が充填されて、アースパターン２ｃと金属製の薄板５とが半田９により電気的に接続されている。
【００１２】
以上、本実施の形態におけるＬＮＢコンバータのアース接続構造１００Ｂによっても、上記実施の形態１の場合と同様の作用効果を得ることができる。さらに、アースパターン２ｃと金属製の薄板５とが半田９により電気的に接続されていることから、アースパターン２ｃと金属製の薄板５との間の電気的接合の信頼性を向上させることが可能となる。
【００１３】
（実施の形態３）
以下、この発明に基づいた実施の形態３におけるＬＮＢコンバータのアース接続構造１００Ｃについて、図４を参照して説明する。なお、図４は、本実施の形態におけるＬＮＢコンバータのアース接続構造を示す部分拡大断面図である。本実施の形態におけるＬＮＢコンバータのアース接続構造１００Ｃと上記実施の形態１で示したアース接続構造１００Ａとを比較した場合、金属製の薄板５のアースパターン２ｃおよび支持領域１ｒに当接する位置に凸部を有していることを特徴としている。具体的には、図４の拡大図に示すように、金属製の薄板５において、支持領域１ｒに当接する位置には下方に突出する凸部５ａが設けられ、アースパターン２ｃに当接する位置には上方に突出する凸部５ｂが設けられている。
【００１４】
以上、本実施の形態におけるＬＮＢコンバータのアース接続構造１００Ｃによっても、上記実施の形態１の場合と同様の作用効果を得ることができる。さらに、金属製の薄板５に、支持領域１ｒに当接する凸部５ａおよびアースパターン２ｃに当接する凸部５ｂを設けることで、アースパターン２ｃと支持領域１ｒとの間により大きな間隙が生じた場合であっても、アースパターン２ｃと支持領域１ｒとの間の電気的な接続を確実に確保することが可能となる。
【００１５】
（実施の形態４）
以下、この発明に基づいた実施の形態４におけるＬＮＢコンバータのアース接続構造１００Ｄについて、図５を参照して説明する。なお、図５は、本実施の形態におけるＬＮＢコンバータのアース接続構造を示す部分拡大断面図である。本実施の形態におけるＬＮＢコンバータのアース接続構造１００Ｄと上記実施の形態１で示したアース接続構造１００Ｃとを比較した場合、薄板５のアースパターン２ｃに当接する位置に板バネ構造を有していることを特徴としている。具体的には、図５の拡大図に示すように、金属製の薄板５において、アースパターン２ｃに当接する位置に、上方に向かって折り曲げられた舌状片５ｃが設けられ、この舌状片５ｃにより板バネが構成されている。
【００１６】
以上、本実施の形態におけるＬＮＢコンバータのアース接続構造１００Ｄによっても、上記実施の形態１の場合と同様の作用効果を得ることができる。さらに、金属製の薄板５に上方に向かって折り曲げられた舌状片５ｃを設けることで、回路基板２を支持領域１ｒに押し付けた場合に、舌状片５ｃの弾性力により、舌状片５ｃが強固にアースパターン２ｃの圧接されることなる。その結果、アースパターン２ｃと支持領域１ｒとの間の電気的な接続を確実に確保することが可能となる。
【００１７】
（実施の形態５）
以下、この発明に基づいた実施の形態５におけるＬＮＢコンバータのアース接続構造１００Ｅについて、図６を参照して説明する。なお、図６は、本実施の形態におけるＬＮＢコンバータのアース接続構造を示す部分拡大断面図である。本実施の形態におけるＬＮＢコンバータのアース接続構造１００Ｅと上記実施の形態１で示したアース接続構造１００Ａとを比較した場合、回路基板２の裏面側であるアースパターン２ｃ側に介在させる導電性部材として、支持領域１ｒが当接する位置に導電性ゴムを配設していることを特徴としている。具体的には、図６の拡大図に示すように、回路基板２の裏面側であるアースパターン２ｃ側に導電性ゴムシート６を配設している。
【００１８】
以上、本実施の形態におけるＬＮＢコンバータのアース接続構造１００Ｅによっても、上記実施の形態１の場合と同様の作用効果を得ることができる。さらに、導電性ゴムシート６を用いることにより、導電性ゴムシート６が、アースパターン２ｃおよび支持領域１ｒの凹凸表面に対応して変形することから、アースパターン２ｃと支持領域１ｒとの間の電気的な接続を確実に確保することが可能となる。
【００１９】
（実施の形態６）
以下、この発明に基づいた実施の形態６におけるＬＮＢコンバータのアース接続構造１００Ｆについて、図７を参照して説明する。なお、図７は、本実施の形態におけるＬＮＢコンバータのアース接続構造を示す部分拡大断面図である。本実施の形態におけるＬＮＢコンバータのアース接続構造１００Ｆと上記実施の形態１で示したアース接続構造を比較した場合、金属製の薄板５は、支持領域１ｒが当接する位置に導電性ゴムが装着されていることを特徴としている。具体的には、図７の拡大図に示すように、回路基板２の支持領域１ｒが当接する位置に貫通孔５ｊが設けられ、この貫通孔５ｊに、円形の導電性ゴム７が嵌合されている。
【００２０】
以上、本実施の形態におけるＬＮＢコンバータのアース接続構造によっても、上記実施の形態１の場合と同様の作用効果を得ることができる。さらに、支持領域１ｒが当接する位置に導電性ゴム７を設けることで、アースパターン２ｃと支持領域１ｒとの間の電気的な接続を確実に確保することが可能となる。また、導電性ゴムのみでは、取り付け時に大きく導電性ゴムが撓むため、取扱い難い場合も考えられるが、本実施の形態の場合においては、取扱い性の改善も図ることができる。
【００２１】
（実施の形態７）
以下、この発明に基づいた実施の形態７におけるＬＮＢコンバータのアース接続構造１００Ｇについて、図８を参照して説明する。なお、図８は、本実施の形態におけるＬＮＢコンバータのアース接続構造を示す部分拡大分解断面図である。本実施の形態におけるＬＮＢコンバータのアース接続構造１００Ｇと上記実施の形態１で示したアース接続構造１００Ａとを比較した場合、回路基板２の裏面側であるアースパターン２ｃ側に介在させる導電性部材として、支持領域１ｒが当接する位置に導電性グリス８を配設していることを特徴としている。具体的には、図８の拡大図に示すように、支持領域１ｒの回路基板２との当接面に導電性グリス８が塗布された状態で、回路基板２が支持領域１ｒに固定される。
【００２２】
以上、本実施の形態におけるＬＮＢコンバータのアース接続構造１００Ｇによっても、上記実施の形態１の場合と同様の作用効果を得ることができる。さらに、支持領域１ｒの回路基板２との当接面に導電性グリス８を塗布することで、少なくとも支持領域１ｒでの電気的接続を確実なものとすることができる。
【００２３】
なお、今回開示した上記各実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【図面の簡単な説明】
【００２４】
【図１】実施の形態１におけるＬＮＢコンバータの内部構造を示す概略分解斜視図である。
【図２】実施の形態１におけるＬＮＢコンバータのアース接続構造を示す部分拡大断面図である。
【図３】（Ａ）は、実施の形態２におけるＬＮＢコンバータのアース接続構造を示す部分拡大断面図であり、（Ｂ）は、（Ａ）中のＢで囲まれた領域の拡大断面図である。
【図４】実施の形態３におけるＬＮＢコンバータのアース接続構造を示す部分拡大断面図である。
【図５】実施の形態４におけるＬＮＢコンバータのアース接続構造を示す部分拡大断面図である。
【図６】実施の形態５におけるＬＮＢコンバータのアース接続構造を示す部分拡大断面図である。
【図７】実施の形態６におけるＬＮＢコンバータのアース接続構造を示す部分拡大断面図である。
【図８】実施の形態７におけるＬＮＢコンバータのアース接続構造を示す部分分解拡大断面図である。
【図９】衛星放送を受信するための装置の説明図である。
【図１０】従来技術のＬＮＢコンバータの内部構造を示す概略分解斜視図である。
【図１１】従来技術のＬＮＢコンバータのアース接続構造を示す部分拡大断面図である。
【符号の説明】
【００２５】
１  本体容器、１ｈ  凸部、１ｒ  支持領域、２  回路基板、２ａ  本体基板、２ｂ  回路パターン、２ｃ  アースパターン、３  ネジ、５  薄板、５ａ，５ｂ  凸部、５ｃ  舌状片、５ｈ  貫通孔、５ｊ  貫通孔、６  導電性ゴムシート、７  導電性ゴム、８  導電性グリス、９  半田、１００Ａ，１００Ｂ，１００Ｃ，１００Ｄ，１００Ｅ，１００Ｆ，１００Ｇ  ＬＮＢコンバータの接続構造。
【図１】
2006066197.tif 000003
【図２】
2006066197.tif 000004
【図３】
2006066197.tif 000005
【図４】
2006066197.tif 000006
【図５】
2006066197.tif 000007
【図６】
2006066197.tif 000008
【図７】
2006066197.tif 000009
【図８】
2006066197.tif 000010
【図９】
2006066197.tif 000011
【図１０】
2006066197.tif 000012
【図１１】
2006066197.tif 000013